(57)【特許請求の範囲】
【請求項１】
ロックシリンダーのコアピン（４，４'）と係合するロック凹部（１２）を有する部分（１３）を有し、前記部分（１３）内にスペーサー（９）が移動可能に取り付けられ、スペーサー（９）の移動方向（Ｄ）が回転キーの側面（１４）に対して傾斜して延びるロックシリンダー用の回転キーにおいて、スペーサー（９）は、前記部分（１３）に設けられた傾斜したスロット（１５）に配置されたリング（９）であり、ジャーナル（１６）が前記リング（９）の開口部を遊びをもって貫き、傾斜したスロット（１５）は、回転キーの断面の中心に配置されていることを特徴とする回転キー。
【請求項２】
移動方向（Ｄ）は回転キーの側面（１４）に対してほぼ４５°の角度に傾けられていることを特徴とする、請求項１に記載の回転キー。
【請求項３】
ジャーナル（１６）は回転キーの側面に設けられた傾斜したオリフィスに挿入されていることを特徴とする、請求項１又は請求項２に記載の回転キー。
【請求項４】
リング（９）は、その周面に互いに９０°の角度をなす２つの面取り部（１７）を有することを特徴とする、請求項１乃至請求項３の何れか１項に記載の回転キー。
【請求項５】
コアピン（４，４'）とハウジングピン（５）との接触面がシリンダーハウジング（１）の円筒形の内周面と一致する非ロック位置まで前記コアピン（４，４'）を押すことが可能なように前記リング（９）が載る円錐形の先端部を有する支持ピン（８）を有し、
前記面取り部（１７）のうちの一方が、前記支持ピン（８）の円錐形の先端部に載り、他方の面取り（１７）はコアピン（４）の切頭円錐形の先端の平らな面に載ることを特徴とする、請求項４に記載の回転キー付きロックシリンダー。
【請求項６】
ハウジング（１）内に回転可能に取り付けられると共にピンタンブラーによって回転に対して通常はロックされるシリンダーコアを備えたロックシリンダーであって、前記ピンタンブラーは、コアピン及びハウジングピン（４，５）を有し、コアピン及びハウジングピン（４，５）は、それぞれ、コアオリフィス及びハウジングオリフィス内に取り付けられ、ハウジングに対するばね荷重がかけられ、ロック溝への回転キーの挿入によって解放位置に移動でき、シリンダーコア（６）は、シリンダーコア（６）の半径方向のオリフィス（７）に挿入される少なくとも１つの支持ピン（８）を有し、支持ピン（８）は、支持ピン（８）とコアピン（４）との間のスペーサ（９）の介在によってピンタンブラー（４'，５'）を調整できるようにピンタンブラーに関連して配向され、スペーサ（９）は、回転キーに設けられた傾斜したスロットに移動可能に配置され、支持ピン（８）を支持する半径方向オリフィス（７）がコアピン（４）を支持するオリフィスの軸線に対して傾斜して延びていることを特徴とする、請求項１乃至請求項４の何れか１項に記載の回転キー付きロックシリンダー。
【請求項７】
支持ピン（８）が設けられるオリフィス（７）は、コアピン（４）のオリフィスの軸線に対し約４５°だけ傾斜して延びていることを特徴とする、請求項６に記載のロックシリンダー。
【請求項８】
回転キーのキー溝（３）の断面はほぼ矩形状であり、その断面の長辺に相当する部分の側面は、コアピン（４）が挿入されるオリフィスの軸線と直交して延びることを特徴とする、請求項５乃至請求項７の何れか１項に記載のロックシリンダー。
【請求項９】
回転キーのキー溝（３）の断面はほぼ矩形状であり、その断面の長辺に相当する部分の側面は、コアピン（４）が挿入されるオリフィスの軸線と平行に延びることを特徴とする、請求項６又は請求項７に記載のロックシリンダー。
【請求項１０】
回転キーの側面のロック凹部と係合する補助タンブラーピンを有することを特徴とする、請求項５乃至請求項９の何れか１項に記載のロックシリンダー。
【請求項１１】
１つ又は２つ以上の補助タンブラーピンと当接し、且つシリンダーコアの外周面とハウジングオリフィスの内周面との間の領域に配置された阻止用ニードル（１１）を有し、阻止用ニードル（１１）は、補助タンブラーピンが回転キーの側面の凹部に入るとき阻止位置から解放位置に移動して、これによりシリンダーコアがハウジングオリフィスに対して相対的に回転可能になることを特徴とする、請求項５乃至請求項１０の何れか１項に記載のロックシリンダー。
【発明の詳細な説明】
【０００１】
本発明は、まず、ロックシリンダーのコアピンと協働するロック凹部からなるビットを備え、このビットの中にスペーサーを移動可能に取り付けた、ロックシリンダー用のキーに関する。
【０００２】
この種のキーは、ヨーロッパ特許第００２９４９８号によってすでに知られている。そこのスペーサーは球体として設計されている。
【０００３】
本発明は、また、ハウジング内に回転可能に取り付けられ、コアオリフィス及びハウジングオリフィス内に取り付けられ、ハウジングに対してばね荷重がかけられ、ロック溝へのキーの挿入によって解放位置に移動できるコアピン及びハウジングピンからなる、ピンタンブラーによって通常回転に対してロックされたシリンダーコアを備えたロックシリンダーにおいて、シリンダーコアは、シリンダーコアの半径方向のオリフィスに挿入され、且つキーと移動可能に関連したスペーサーの介在によってピンタンブラーを支持ピンとコアピンとの間に位置決めすることができるような方法で、ピンタンブラーと空間的に関連した少なくとも１つの支持ピンを有する。
【０００４】
本発明の目的は、包括的なキー及び包括的なロックシリンダーを便宜的に発展させることである。その目的は特許請求の範囲に記載された発明によって成し遂げられる。
【０００５】
請求項１は、はじめに、スペーサーの移動方向がキーの側面に対して斜めに延びることを実質的に提案する。ロックシリンダーに関する請求項８は、支持ピンを支持する半径方向オリフィスがコアピンを支持するオリフィスに対して横に延びることを提案する。
【０００６】
この設計の結果、多様性が増すばかりでなく、唯一且つ同じ製造概念によって、キー溝の幅の延長部がタンブラーピンオリフィスの整列ラインと直交して延びるロックシリンダー及びキー、並びにキー溝の幅の延長部がタンブラーピンオリフィスの整列ラインと平行に延びるロックシリンダー及びキーを製造することの可能性がある。本発明のさらなる展開では、支持ピンオリフィスがコアピンオリフィスの整列ラインの外側で約４５°だけオフセットされることが提案される。それはシリンダーコアを通る横断面に位置する。したがって、スペーサーの移動方向は、キーに関するキー側面に対して約４５°の角度に傾けられている。この角度位置は、ほぼ四角形のキー溝の長い側面がピンオリフィスの整列方向に対して直交し、且つまた平行して延びている場合に有利である。
【０００７】
本発明のさらなる展開では、スペーサーが、ビットの傾斜スロットに配置され、且つ遊びをもってジャーナルによって横切られるリングであることが提案される。この設計の場合、本発明は、リングの周面が、交差又はほとんど交差し、且つ９０°の角度をなす２つの４５°の面取りを形成する場合に有利であるかもしれない。すると、２つの面取りのうちの一方は支持ピンの先端の円すいエンべロープと協働することができ、他方の面取り部はコアピンの切頭円すい面と協働することができる。これを逆にしてもよい。本発明は、キーの組み合わせが多様化した場合にリングが種々の直径を有する点でも有利である。補助タンブラーピンをロックシリンダー内に設けることもできる。周知のように、これらは、周知の方法で阻止位置及び解放位置を採用することができるように、シリンダーコアとシリンダーコアオリフィスの内壁との間の分割面内で移動できる阻止用ニードルと協働することができる。
【０００８】
本発明の実施形態を添付図面の助けをかりて以下に説明する。
図１に示す平形のキーは回転キーであり、その側面にはコアーピン４の切頭円すい形の先端１９と協働する複数のロック凹部１２の形態のプロファイルを有する。キーはまた、その先端の領域に傾斜スロット１５を有する。この傾斜スロット１５には、環状ディスク９の形態のリングが位置し、ジャーナル１６がリングの開口部を貫いて突出してリングを傾斜スロット内に拘束する。ジャーナル１６の直径がリング９の凹部の直径よりも小さいので、リング９は、ビットの側面に対して斜め方向に傾斜スロット１５の中を遊びをもって移動することができる。
【０００９】
図４及び図５はキーを挿入した断面を示す。断面はリング９を通る。リングは、それぞれの場合において互いに９０°の角度なす２つの面取り１７を外壁に有する。２つの面取りのうちの一方は、コアピン４の先端１９の切頭円すい面に載る。コアピンは、ばね１８によってピンオリフィスの基部に向かってばね荷重がかけられたハウジングピン５によって周知の方法で支持されている。ハウジング１のコアオリフィス内に位置するシリンダーコア６は、ピンタンブラーオリフィスに対して斜めの半径方向オリフィス７を有する。この半径方向オリフィス７には支持ピン８がある。支持ピン８は円すい先端２０を有する。ピンタンブラー４，５の軸線に対して横方向に移動できるリング９の面取り１７は、この過程中先端の包絡面に載る。この結果、リング９はコアピン４への距離効果を有する。特に図４及び図５から明らかなように、リング９は一部が或る領域ではコアピンのピンオリフィスの中へ突出する。
【００１０】
異なる直径のリング９を使用することによってキーのプロファイルの変更を成し遂げることができる。コアピン４の軸線方向の長さをそれに応じて適用しなければならない。
【００１１】
キー溝３は、図４及び図５に示す実施形態ではコアピン４の軸線と直交する延長部を有しているのに対し、図６及び図７に示す実施形態は側面延長部がコアピンの軸線と平行であるキー溝３を有する。そこのコアピン４’は屋根形の先端１９’を有する。
【００１２】
この実施形態では、コアピン４及びハウジングピン５はシリンダーハウジングの中央平面に関して横方向にオフセットされている。
【００１３】
図４乃至図７による実施形態では、スペーサー９の移動方向は、支持ピン８が位置する半径方向オリフィス７の軸線方向と平行に延びる。
【００１４】
図９に示す実施形態は、長手方向の中央平面の外側に２列に配置されたピンタンブラー４’，５’を有する。コアピンの先端１９’は屋根形である。したがってキー２は３つのディスクからなる構造体である。中央のディスクはコアウェブを形成する。２つの外側のディスクはノッチの形態のロック凹部１２を有する。これを図１０及び図１１に示す。
【００１５】
リング９の移動方向Ｄはビットの側面１４と４５°の角度になることは図１１から明らかになる。
【００１６】
ロックシリンダーは周知の方法でばね荷重をかけた補助ピン１０を有する。補助ピン１０は、シリンダーコアとシリンダーコアハウジングオリフィスとの分割平面の阻止位置に入ることができる阻止用ニードル１１と周知の方法で協働する。補助タンブラーピン１０がキー側面の凹部と関連した凹部に入るときだけ、阻止用ニードルを阻止位置から解放位置に移動させることができる。
【００１７】
リング９を傾斜スロット１５内に保持するジャーナル１６がキー側面に斜めに作られたオリフィスに挿入されていることは有利である。これはブラインドオリフィスにすることができる。リングの単純なアセンブリーが可能である。リングには、キーの組み合わせを変えることができるように、ジャーナルを突出したり、孔をあけたりすることによって別の直径を有するリングを設けることもできる。
【００１８】
開示したすべての特徴は、本発明にとって（それ自身）本質的である。関連した／添付の優先権書類（先の出願の写し）の開示は、これらの書類の特徴を本出願の特許請求の範囲の中に援用する目的で、出願の開示に十分に含まれる。
【図面の簡単な説明】
【図１】  本発明によるキーの第１実施形態を示す。
【図２】  ロックシリンダーの側面図である。
【図３】  ロックシリンダーの平面図である。
【図４】  図２及び図３によるロックシリンダーの断面線ＩＶ−ＩＶによる断面図である。
【図５】  より短いコアーピン及びより大きな直径を有するリングの場合の図４による断面図である。
【図６】  ロックシリンダーの幅の延長がタンブラーピンの軸線と平行に延びるさらなる実施形態のロックシリンダーに関する図４による断面図である。
【図７】  より短いコアーピン及びより大きな直径を有するスペーサーの場合の図６による断面図である。
【図８】  図３の線ＶＩＩＩ−ＶＩＩＩによる断面図である。
【図９】  図３の線ＩＸ−ＩＸによる断面図である。
【図１０】  第２実施形態のキーの平面図である。
【図１１】  図１０の線ＸＩ−ＸＩによる断面図である。
【図１】
0003940675.tif 000002
【図２】
0003940675.tif 000003
【図３】
0003940675.tif 000004
【図４】
0003940675.tif 000005
【図５】
0003940675.tif 000006
【図６】
0003940675.tif 000007
【図７】
0003940675.tif 000008
【図８】
0003940675.tif 000009
【図９】
0003940675.tif 000010
【図１０】
0003940675.tif 000011
【図１１】
0003940675.tif 000012